(57)【要約】【課題】整流子の各コンミュテータバー間の短絡を防止できるとともに、整流子およびカーボンブラシを効率良く冷却できる電動送風機を提供する。【解決手段】モータフレーム３内の後板部７とモータ本体部４との間に冷却カバー８４を取り付ける。ロータ軸２５を回転させることにより遠心ファン５３が回転する。遠心ファン５３にてモータフレーム３内へと送風された空気を、冷却カバー８４が整流子２６の方向に導く。ロータ軸２５の回転による整流子２６の各コンミュテータバー２７へのカーボンブラシの摺動により生じるカーボンブラシからのカーボン塵が各コンミュテータバー２７間に入り込みにくくなる。整流子２６へのカーボンブラシの摺動により生じる発熱を効率良く防止できる。【選択図】        図１
2004153892.tif 000002
【特許請求の範囲】
【請求項１】
底部側に通気口が開口された有底筒状のケース体と、
このケース体内に取り付けられた筒状の固定子と、
この固定子に挿通されて前記ケース体内に回転可能に設けられた軸体と、
この軸体に軸心を略一致させて設けられ少なくとも外面が導電性を有する筒状の整流子と、
この整流子の外面に摺接される摺動接点と、
前記軸体に取り付けられ、この軸体の回転により外部の空気を前記ケース体内を通して前記通気口へと送風させる送風手段と、
前記ケース体および前記固定子によって軸方向に挟持されて前記ケース体内に設けられ、前記送風手段によって送風される空気を前記整流子に導くカバー体と
を具備したことを特徴とした電動送風機。
【請求項２】
底部側に通気口が開口された有底筒状のケース体と、
このケース体内に取り付けられた筒状の固定子と、
この固定子に挿通されて前記ケース体内に回転可能に設けられた軸体と、
前記ケース体の内周面に形成され、前記固定子の軸方向の位置決めをする突部と、
前記軸体に軸心を略一致させて設けられ少なくとも外面が導電性を有する筒状の整流子と、
この整流子の外面に摺接される摺動接点と、
前記軸体に取り付けられ、この軸体の回転により外部の空気を前記ケース体内を通して前記通気口へと送風させる送風手段と、
前記突部によって周方向の回動が規制されて前記ケース体内に設けられ、前記送風手段によって送風される空気を前記整流子に導くカバー体と
を具備したことを特徴とした電動送風機。
【請求項３】
カバー体は、ケース体内に位置させた際に、このケース体の底部の内側に当接する変形可能な脆弱部を備えている
ことを特徴とした請求項１または２記載の電動送風機。
【発明の詳細な説明】
【０００１】
【発明の属する技術分野】
本発明は、整流子への摺動接点の摺接に伴う軸体の回転により送風手段にて空気を送風させる電動送風機に関する。
【０００２】
【従来の技術】
従来、この種の電動送風機は、略有底円筒状のケース体としてのモータフレームを備えており、このモータフレームの周面における底部側には、略矩形状の通気口が開口されている。そして、このモータフレームの内部には、略円筒状の固定子としてのステータが軸方向を一致させた状態で収容されている。
【０００３】
また、このモータフレームの内部には、断面円形棒状の軸体としてのロータ軸が回転可能に軸支されて取り付けられている。このロータ軸は、ステータに挿通されており、これらステータおよびモータフレームの同軸状に取り付けられている。さらに、このロータ軸の軸方向における一端部側のモータフレームとの間には、略円筒状の整流子が軸心を一致させた状態で取り付けられている。
【０００４】
この整流子は、ロータ軸の同心状に取り付けられた外面が導電性を有する複数の整流子片としてのコンミュテータバーにより構成された整流子シェルを備えている。そして、この整流子シェルの外面には、この整流子シェルを介してロータ軸を回転駆動させる摺動接点としてのカーボンブラシが摺接されている。このカーボンブラシは、整流子シェルの外面に対向したモータフレームの内面に挿通された状態で取り付けられている。
【０００５】
さらに、ロータ軸の軸方向における他端部には、このロータ軸の回転により空気を軸方向に沿って送風させる送風手段としての遠心ファンが同心状に取り付けられている。この遠心ファンは、ロータ軸の回転により外部の空気をモータフレーム内へと送り込んで、このモータフレームの通気口へと送風させる（例えば、特許文献１参照。）。
【０００６】
【特許文献１】
特開平８−２００２８８号公報（第４−７頁、図１および図１８）
【０００７】
【発明が解決しようとする課題】
上述の電動送風機では、ロータ軸を回転させることにより、このロータ軸の回転に伴って遠心ファンが回転して外部の空気をモータフレーム内へと送り込むが、送り込まれた空気がモータフレームの内側面に沿って流れやすく整流子には流れにくいので、以下に述べる問題が発生する。
【０００８】
第１に、ロータ軸を回転させた際に、整流子の外面とカーボンブラシの摺動によりカーボンブラシが削れて粉塵となり、この粉塵が整流子に留まってコンミュテータバー間に入り込んで、これらコンミュテータバー間を短絡させてしまうおそれがある。
【０００９】
第２に、整流子を効率良く冷却することができないことから熱損失が大きく、電動送風機の効率向上が容易ではないという問題を有している。
【００１０】
本発明は、このような点に鑑みなされたもので、整流子の短絡を防止しつつ整流子を効率良く冷却できる電動送風機を提供することを目的とする。
【００１１】
【課題を解決するための手段】
本発明は、ケース体内の固定子に挿通されて回転可能とされた軸体に軸心を略一致させて設けられた整流子と、軸体の回転により外部の空気をケース体内を通して通気口へと送風させる送風手段と、ケース体および固定子によって軸方向に挟持されてケース体内に設けられ、送風手段によって送風される空気を整流子に導くカバー体とを具備したものである。そして、軸体の回転に伴う送風手段によるケース体内へと送風される空気が、このケース体内のカバー体により整流子に導かれるため、この整流子への摺動接点の摺動により生じる摺動接点からの粉塵が外部に流出されやすく、整流子の短絡が防止されるとともに、この整流子が効率良く冷却される。しかも、空気を整流子に導くカバー体は、ケース体と固定子とで軸方向に挟持されるので、簡単な構成でケース体内に固定される。
【００１２】
また、本発明は、ケース体内の固定子に挿通されて回転可能とされた軸体と、ケース体の内周面に形成され固定子の軸方向の位置決めをする突部と、軸体に軸心を略一致させて設けられた整流子と、軸体の回転により外部の空気をケース体内を通して通気口へと送風させる送風手段と、突部によって周方向の回動が規制されてケース体内に設けられ、送風手段によって送風される空気を整流子に導くカバー体とを具備したものである。そして、軸体の回転に伴う送風手段によるケース体内へと送風される空気が、このケース体内のカバー体により整流子に導かれるため、この整流子への摺動接点の摺動により生じる摺動接点からの粉塵が外部に流出されやすく、整流子の短絡が防止されるとともに、整流子が効率良く冷却される。しかも、空気を整流子に導くカバー体は、固定子の軸方向の位置決めをする突部を利用して周方向の回動が規制されるので、簡単な構成で回動が規制される。
【００１３】
【発明の実施の形態】
以下、本発明の一実施の形態における電動送風機の構成を図１ないし図１０を参照して説明する。
【００１４】
図１ないし図１０において、１は電動送風機で、この電動送風機１は、図示しない電気掃除機に搭載されるものである。また、この電動送風機１は、図１ないし図３および図５に示すように、電気にて駆動する電動機２を備えている。この電動機２は、ケース体としての有底円筒状のモータフレーム３を有している。このモータフレーム３の内側には、モータ本体部４が収納されている。また、このモータフレーム３の軸方向の一端である前端面には、開口部としての通風口５が開口形成されている。そして、この通風口５の周囲には、外周方向に向けて突出する断面略Ｌ字状のフランジ部６が屈曲形成されている。
【００１５】
さらに、モータフレーム３の軸方向の他端である底部側としての後端面は、後板部７にて閉塞されている。この後板部７の中央部には、後方に向けて略円筒状に突出したモータヘッド部８が設けられている。そして、このモータヘッド部８の内部には、軸受部としてのベアリングキャップ１１およびスラストバネ１２を介してベアリング１３が収容されている。
【００１６】
また、モータフレーム３の周面における底部側である後部近傍には、通気口としての排気口である複数の吹出口１４が開口形成されている。これら吹出口１４は、略矩形状に形成されており、モータフレーム３の側面を貫通させて内部と外部とを連通させている。
【００１７】
ここで、図６および図８に示すように、モータフレーム３の内側面には、このモータフレーム３の中心軸方向に向けて突出する複数、例えば４個の係止突部としての断面半円状のストッパ１５が形成されている。これらストッパ１５は、モータフレーム３の内側面において周方向に沿って等間隔離間された位置に設けられており、このモータフレーム３の軸方向に沿って突出している。また、これらストッパ１５は、モータフレーム３の側面の一部の上下に水平な切れ込みを入れ、これら上下の切れ込みの間を内側に向けてＵ字状に湾曲させて切り起すことによって形成されている。
【００１８】
さらに、モータフレーム３の前端部には、取付体としての長手板状のブリッジ部１６がモータフレーム３の径方向に架橋して通風口５の一部を覆うように、長手方向の両端部がフランジ部６に取り付けられている。そして、このブリッジ部１６の略中央には、略円板状の取付板部１８が設けられている。また、この取付板部１８の略中央には、前方に向けて略円筒状に突出し内周側にベアリング１３を嵌合保持して収容し、先端略中央に挿通孔１９を開口する略円筒状の取付筒部２０が設けられている。なお、ブリッジ部１６にて覆われていないモータフレーム３の通風口５およびブリッジ部１６に設けられた図示しない円形開口が通風口となる。
【００１９】
一方、モータ本体部４は、モータフレーム３に固定され鉄板が積層された略筒状のコア２２に第１のコイル２３が複数、例えば２つ巻装され、これら第１のコイル２３に通電することにより内周部に複数の固定極すなわちＮ極およびＳ極を形成する円筒状で外周面が略四角柱状の固定子であるフィールドとしてのステータ２４を備えている。このステ−タ２４は、モータフレーム３の周面に対して同軸状に取り付けられて保持されている。そして、このステータ２４のコア２２の４つの角部は、モータフレーム３の各ストッパ１５に当接して係止されており、これら各ストッパ１５によってモータフレーム３内にステータ２４のコア２２が周方向および軸方向に対して位置決め保持されている。
【００２０】
さらに、このステータ２４の内周側には、このステータ２４に挿通されて略同軸状に貫通して位置する軸体としてのロータ軸２５が回転可能に配設されている。このロータ軸２５の両端部は、モータヘッド部８およびブリッジ部１６のベアリング１３にそれぞれ回転可能に軸支されてモータフレーム３内に回転可能に設けられている。そして、このロータ軸２５のモータヘッド部８側のステータ２４から露出する端部近傍には、円筒状の整流子２６が軸心を略一致させた状態で挿通されて配設されている。この整流子２６は、複数の略板状である整流子片としてのコンミュテータバー２７が放射状に周方向に向けて配設されて構成された整流子シェル２８を備えている。この整流子シェル２８は、少なくとも外面、具体的には全体が導電性を有しており、ロータ軸２５の外面に同心状に設けられている。なお、この整流子シェル２８は、少なくとも外面が導電性を有していればよい。
【００２１】
また、ロータ軸２５における整流子シェル２８よりも前端側には、電機子としてのアーマチュア３１が軸心を略一致させた状態で取り付けられている。このアーマチュア３１は、ステータ２４の内周側の中央に位置している。また、このアーマチュア３１は、中心にロータ軸２５が嵌着される略円筒状の積層鉄心３２に適宜接続される第２のコイル３４が巻装されて構成されている。そして、このアーマチュア３１は、第２のコイル３４に通電することにより外周部にステータ２４の固定極に対向する複数の可動極、すなわちＮ極およびＳ極を所定の位置に形成する。
【００２２】
さらに、ステータ２４のコア２２には、絶縁性部材にて略角筒状に形成された一対の端子台３５が径方向に位置して一体的にそれぞれ取り付けられている。これら端子台３５内には、電源である図示しない家庭用商用交流電源に接続される端子がそれぞれ設けられている。
【００２３】
また、モータフレーム３の側面の軸方向における中央部には、略矩形状の一対のブラシ取付口３９が開口形成されている。これら一対のブラシ取付口３９は、モータフレーム３の中心軸を通過する互いに対向した位置に設けられている。そして、これら一対のブラシ取付口３９には、一対のブラシ機構部４１の先端部が外側から挿入されて、このモータフレーム３の径方向に略位置してねじ４２にて取り付けられて固定されている。ここで、これら一対のブラシ機構部４１と、ステータ２４と、アーマチュア３１および整流子２６が設けられたロータ軸２５とによりモータ本体部４が構成される。また、これら一対のブラシ機構部４１は、アーマチュア３１の整流子２６の外面に長手方向の一端面が摺接される摺動接点としてのカーボンブラシ４３を備えている。このカーボンブラシ４３は、ホルダとしてのブラシ保持器４４に保持されている。
【００２４】
そして、このブラシ保持器４４には、有底角筒状で内周側にカーボンブラシ４３が進退可能に嵌挿される導電性を有する保持付勢部４５が嵌挿保持されている。この保持付勢部４５内には、この保持付勢部４５からカーボンブラシ４３を常時進出させる方向に付勢して、このカーボンブラシ４３を整流子２６に電気的に導通させるコイルスプリングなどの付勢手段４６が配設されている。
【００２５】
一方、ブリッジ部１６の前側には、整流手段としてのディフューザ５１が固定されている。また、このディフューザ５１の前方には、送風手段としての遠心ファン５３が取り付けられて配置されている。この遠心ファン５３は、ロータ軸２５の回転により生じる空気との摩擦により発生する熱に対して耐熱性を有し、回転の際の慣性や質量などを考慮して、例えばアルミニウム合金などにて形成されている。さらに、この遠心ファン５３は、ロータ軸２５の回転によって外部の空気をモータフレーム３の通風口５から吸い込んで、このモータフレーム３の吹出口１４へと送風させる。
【００２６】
また、この遠心ファン５３は、略円板状で略中央にロータ軸２５が嵌挿される嵌挿孔５４が穿設された円板状の下板５５を備えている。この下板５５に所定の間隙を介して対向した位置には、中心に通風孔５６が開口形成されて下板５５側に向けて略ラッパ状に拡径した上板５７が配設されている。さらに、これら下板５５と上板５７との間には、渦巻き状の吸気風路５８を複数区画形成する壁状のファン翼５９が一体的に設けられている。
【００２７】
そして、遠心ファン５３は、モータ本体部４のアーマチュア３１の前端部に固定されている。また、この遠心ファン５３は、電動機２の突出するロータ軸２５が下板５５の嵌挿孔５４に嵌挿されて、下板５５の裏面側である上板５７と対向しない側にロータ軸２５を嵌合するスリーブ６１を備えている。
【００２８】
なお、この遠心ファン５３は、モータ本体部４のロータ軸２５の回転により、ファン翼５９の中心方向への渦巻き方向に回転する。このとき、この遠心ファン５３は、外部の空気を通風口５からモータフレーム３内を通して吹出口１４へと送風させる。
【００２９】
一方、ディフューザ５１は、モータフレーム３の通風口５を覆って閉塞するように、ブリッジ部１６の取付板部１８に取り付け固定されている。そして、このディフューザ５１は、周縁に略三角形状の切欠部７１を等間隔で複数切り欠き形成し、略中央にブリッジ部１６の取付筒部２０を嵌合する貫通孔７２を開口した略円筒状の胴体部７３が設けられた略円板状の円板部７４を有している。
【００３０】
そして、この円板部７４の一面である遠心ファン５３に対向する上面には、略垂直な円弧壁状の上流整流板７５が設けられている。この上流整流板７５は、中心から遠心ファン５３の径寸法より若干大きい寸法の距離を介した周縁近傍に位置している。また、この上流整流板７５は、遠心ファン５３のファン翼５９の渦巻き方向と逆方向に平面渦巻き状に複数設けられており、切欠部７１に連続する案内風路７６を区画形成する。さらに、円板部７４の他面である電動機２側に対向する下面には、略垂直な円弧壁状の下流整流板７７が複数設けられている。この下流整流板７７は、上流整流板７５と逆方向に平面渦巻き状に複数枚設けられており、流過風路７８を区画形成する。
【００３１】
一方、モータフレーム３のフランジ部６の外周部には、略円筒状のファンカバー８１が嵌合されている。このファンカバー８１は、遠心ファン５３を覆っている。また、このファンカバー８１の前面の中央部には、遠心ファン５３の通風孔５６に対向する吸気口８２が開口形成されている。さらに、このファンカバー８１の後面の全面には、後部開口部８３が開口形成されて略円筒状に形成されている。
【００３２】
また、モータフレーム３内におけるこのモータフレーム３の後板部７とモータ本体部４との間には、カバー体としての略有底円筒状の冷却カバー８４が取り付けられている。この冷却カバー８４は、モータフレーム３内にステータ２４を圧入することにより、このモータフレーム３とモータ本体部４とによって軸方向に挟持された状態で、このモータフレーム３内に収容されて軸方向への移動が規制されて固定されている。
【００３３】
さらに、この冷却カバー８４は、モータフレーム３の内径寸法に略等しい外径寸法を有する略有底円筒状の本体部８５を備えている。そして、この本体部８５の周面部８６における、この本体部８５の中心軸を基準とした互いに対向した位置には、凹状に切り欠かれた挿入凹部８７がそれぞれ形成されている。これら挿入凹部８７には、モータフレーム３のブラシ取付口３９へと外側から挿入されたブラシ機構部４１のカーボンブラシ４３の先端部が挿入される。
【００３４】
さらに、この本体部８５の底面部８８には、この本体部８５の挿入凹部８７間を連結させる断面コ字状の連結凸部８９が設けられている。この連結凸部８９は、本体部８５の中心軸を通過する径方向に沿った長手方向を有しており、この本体部８５の底部側に向けて突出している。さらに、この連結凸部８９の長手方向における中央部には、ロータ軸２５の先端側に取り付けられた整流子シェル２８が同心状に挿通される円形状の軸挿通口９１が開口されている。この軸挿通口９１は、本体部８５の底面部８８における中央部に位置しており、この本体部８５の周面部８６の同心状に形成されている。
【００３５】
また、冷却カバー８４の連結凸部８９の先端面の幅方向における両縁には、この連結凸部８９の突出方向に向けて垂直に突出した脆弱部としてのテーパ部である突当凸部９２がそれぞれ設けられている。これら突当凸部９２は、連結凸部８９の長手方向に沿って設けられており、この連結凸部８９の両側面に沿って底部側に向けて突出している。また、これら突当凸部９２は、基端から先端側に向けて徐々に先細状となるテーパ状に形成されて、先端部が変形して潰れ易くなるように脆弱に構成されている。
【００３６】
したがって、これら突当凸部９２は、図９に示すように、各連結凸部８９をモータフレーム３の後板部７側に向けて、このモータフレーム３内に冷却カバー８４を収容させた際に、図１０に示すように、このモータフレーム３の後板部７の内側面に対して垂直に突き当たって当接して先端部が潰れて、このモータフレーム３に対する軸方向における冷却カバー８４の取り付け位置を修正させる。
【００３７】
さらに、この冷却カバー８４の本体部８５の周面部８６における各連結凸部８９の一側部側には、この本体部８５の軸方向に沿った凹弧状のガイド部として機能する一対の嵌合溝部９３が形成されている。これら一対の嵌合溝部９３のそれぞれは、冷却カバー８４の中心軸を基準とした際に互いに直交する位置に設けられている。また、これら一対の嵌合溝部９３は、冷却カバー８４をモータフレーム３内に収容させた際に、このモータフレーム３の近接したストッパ１５にそれぞれが嵌合されて、これらストッパ１５によってモータフレーム３に対する冷却カバー８４の周方向への回動が回り止めされて規制される。
【００３８】
また、これら一対の嵌合溝部９３に対向した本体部８５の周面部８６における各連結凸部８９の他側部側には、この本体部８５の周面部８６が軸方向に沿って切り欠かれたガイド部として機能する一対の切欠溝部９４が形成されている。これら一対の切欠溝部９４は、本体部８５の底面部８８に亘って切り欠かれており、連結凸部８９の幅方向および長手方向のそれぞれに両辺が沿った直交するＶ字状に形成されている。また、これら一対の切欠溝部９４は、冷却カバー８４の中心軸を基準とした際に、互いに直交する位置であるとともに、一対の嵌合溝部９３に対向する位置に設けられている。
【００３９】
そして、これら一対の切欠溝部９４には、冷却カバー８４内に収容される端子台３５の先端部が挿入されており、この冷却カバー８４内から外部へと端子台３５の基端部を導出させる。また、これら一対の切欠溝部９４は、冷却カバー８４をモータフレーム３内に収容させた際に、これら一対の切欠溝部９４における一対の嵌合溝部９３に近接する側の各辺に、これら一対の嵌合溝部９３が嵌合するストッパ１５とは異なる近接したストッパ１５が当接して、これらストッパ１５によってモータフレーム３に対する冷却カバー８４の周方向への回転が回り止めされて規制された状態で支持される。
【００４０】
したがって、冷却カバー８４は、電動機２の駆動によるロータ軸２５の回転に伴う遠心ファン５３の回転によって送風されてモータフレーム３内へと吸い込まれる吸込風Ａを、このモータフレーム３の吹出口１４から排気させる前に、この冷却カバー８４の本体部８５の内側面を介して軸挿通口９１へと流過させることにより、この冷却カバー８４内で回転する整流子シェル２８の方向である近くへと導いて、この整流子シェル２８の各コンミュテータバー２７に吸込風Ａを集中させて送風させる。
【００４１】
次に、上記一実施の形態の動作を説明する。
【００４２】
電動送風機１を駆動させる場合には、まず、端子台３５の各端子間に印加される家庭用商用交流電源の電圧によりステータ２４の第１のコイル２３に電流が流れてコア２２が磁気化されてステータ２４の内周部に極性が異なるＮ極およびＳ極の複数の固定極を形成する。
【００４３】
同時に、これら端子台３５の端子からカーボンブラシ４３および整流子２６を介してアーマチュア３１の第２のコイル３４に電流が流れてこのアーマチュア３１の外周部の所定の位置に極性の異なるＮ極およびＳ極の複数の可動極が形成される。
【００４４】
この後、ステータ２４の固定極およびアーマチュア３１の可動極の反発および吸引により、このアーマチュア３１とともにロータ軸２５が回転し、遠心ファン５３がファン翼５９の渦巻き方向に回転する。
【００４５】
そして、この遠心ファン５３の回転により、ファンカバー８１の吸気口８２から空気が吸気され、遠心ファン５３の通風孔５６から吸気風路５８内に吸込風Ａとして流れ、この遠心ファン５３の外周側に外方に向けて吹き出される。
【００４６】
さらに、この遠心ファン５３の外周から吹き出された吸込風Ａは、対向するディフューザ５１の上流整流板７５にて案内されて案内風路７６を渦巻き状に円板部７４の外周側に流通し、切欠部７１を介して円板部７４の裏面側に流過する。
【００４７】
そして、この円板部７４の裏面側へと流過した吸込風Ａは、下流整流板７７にて案内されて流過風路７８を流過し、渦巻き状にディフューザ５１の中心に向けて流れ、このディフューザ５１の裏面側に位置する通風口５からモータフレーム３内に流入する。
【００４８】
この後、このモータフレーム３内へと流入した吸込風Ａは、このモータフレーム３内の冷却カバー８４の内側面に沿って流過した後、この冷却カバー８４の軸挿通口９１へと通過する。
【００４９】
このとき、吸込風Ａが軸挿通口９１を通過する際の吸込風Ａによるバックプレッシャによって、この冷却カバー８４内に位置する整流子２６の近くを流過する。
【００５０】
そして、この整流子２６の近くを吸込風Ａが流過することにより、この整流子２６のコンミュテータバー２７間に入り込んだ粉塵が吸込風Ａによって取り除かれるとともに、この整流子２６のコンミュテータバー２７にカーボンブラシ４３を摺動させることにより生じる発熱を吸込風Ａが吸収して、これら整流子２６およびカーボンブラシ４３を冷却する。
【００５１】
さらに、モータフレーム３内の冷却カバー８４の内側面に沿って流過した吸込風Ａは、この冷却カバー８４の軸挿通口９１を流過した後、モータフレーム３の吹出口１４から排気風として排気される。
【００５２】
上述したように、上記一実施の形態によれば、モータフレーム３とモータ本体部４との間に冷却カバー８４を取り付けて、電動機２の駆動によるロータ軸２５の回転に伴う遠心ファン５３の回転によってモータフレーム３の通風口５から吸い込んだ吸込風Ａを、冷却カバー８４の本体部８５の内側面に沿って流過させる構成とした。この結果、この冷却カバー８４の内側面に沿って流過する吸込風Ａが整流子シェル２８の近くへと導かれて、この整流子シェル２８の各コンミュテータバー２７に集中して流過する。
【００５３】
したがって、この整流子シェル２８の各コンミュテータバー２７にカーボンブラシ４３を摺接させながら、整流子シェル２８を回転させた際に生じ得る、このカーボンブラシ４３からの粉塵であるカーボン塵が、外部に流出されやすくなるので整流子シェル２８の各コンミュテータバー２７間に入り込みにくくなるとともに、これら各コンミュテータバー２７間に入り込んだカーボン塵を、吸込風Ａの集中した流過によって取り除くことができる。このため、この整流子シェル２８の各コンミュテータバー２７間にカーボン塵が入り込むことにより生じ得る、これらコンミュテータバー２７間の短絡、いわゆるショートを簡単な構成で確実に防止できるとともに、カーボンブラシ４３から各コンミュテータバー２７へのスパークをより確実にできる。
【００５４】
また、冷却カバー８４にてモータフレーム３内へと吸い込んだ吸込風Ａを整流子シェル２８の各コンミュテータバー２７に集中させて流過させることにより、この整流子シェル２８の各コンミュテータバー２７にカーボンブラシ４３を摺接させながら、この整流子シェル２８を回転させた際に生じ得る、これら各コンミュテータバー２７およびカーボンブラシ４３間からの発熱を吸込風Ａにて吸収できる。
【００５５】
このため、整流子シェル２８を回転させた際に、この整流子シェル２８の各コンミュテータバー２７とカーボンブラシ４３との間から生じる発熱を、簡単な構成で確実に防止できるから、この整流子シェル２８の回転時に、これら整流子シェル２８およびカーボンブラシ４３を効率良く冷却できる。よって、これら整流子シェル２８およびカーボンブラシ４３を備えた電動送風機１の耐久性や寿命を向上できるとともに、この電動送風機１のエネルギ損失を少なくすることができる。
【００５６】
さらに、モータフレーム３内に収容されるステータ２４のコア２２の４つの角部を当接させて係止させることにより、このモータフレーム３内でのステータ２４の周方向への回動および軸方向への摺動を規制するストッパ１５に、冷却カバー８４の嵌合溝部９３および切欠溝部９４のそれぞれを嵌合させて、この冷却カバー８４によるモータフレーム３内での周方向への回転を規制させる構成とした。
【００５７】
このため、新たな部材や突部などを設けることなく、ストッパ１５を利用することによりモータフレーム３内に冷却カバー８４を周方向への回転を規制しつつ収容できる。よって、部品点数を増加させたり、構造を複雑にしたりすることなく、モータフレーム３内での冷却カバー８４の周方向への回転を抑制させつつ、この冷却カバー８４をモータフレーム３内に収容できる。したがって、このモータフレーム３内での冷却カバー８４の周方向への回転を簡単な構成で確実に規制できる。この結果、電動送風機１を駆動させて整流子シェル２８を回転させた際に生じる冷却カバー８４の振動や、この振動により生じ得る騒音を抑制できる。
【００５８】
また、冷却カバー８４の連結凸部８９の先端面における両縁に設けた各突当凸部９２を連結凸部８９の突出方向に向けて突出させるとともに、これら各突当凸部９２を基端から先端側に向けて徐々に先細状となるテーパ状に形成して、これら各突当凸部９２それぞれの先端部を他の部分よりも潰れ易くした。
【００５９】
このため、図９に示すように、このモータフレーム３内に冷却カバー８４を収容させる際に、図１０に示すように、この冷却カバー８４の各突当凸部９２をモータフレーム３の後板部７の内側面に突き当てて、これら各突当凸部９２の先端部をある程度変形させて潰すことにより、モータフレーム３および冷却カバー８４それぞれの成型時の寸法の誤差やばらつきを吸収できるとともに、これら各突当凸部９２間に位置する連結凸部８９の破損や歪みを防止でき、冷却カバー８４を確実にモータフレーム３の所定位置に収容できる。
【００６０】
特に、冷却カバー８４を合成樹脂製とした場合には、この冷却カバー８４の成型時の収縮率の相違による寸法誤差を簡単な構成で確実に吸収できるとともに、この冷却カバー８４の成型時における精度確保が容易になる。
【００６１】
なお、上記一実施の形態では、電気掃除機などに用いられる電動送風機１について説明したが、空気に限らずいずれの気体を搬送する送風手段、例えばブロワやポンプなどでもよく、水などの液体を搬送する構成や発電機の電動機２にも対応させて用いることができる。このため、遠心ファン５３およびディフューザ５１は、上記構成に限らず、気体や液体などの流動性物質を搬送できるいずれの形状であってもよい。
【００６２】
また、冷却カバー８４の各突当凸部９２を基端から先端側に向けて徐々に先細状となるテーパ状に形成したが、この冷却カバー８４をモータフレーム３の後板部７の内側面に突き当てた際に、この冷却カバー８４の各突当凸部９２の先端部が他の部分よりも潰れ易い構造であれば、例えば各突当凸部９２を長手方向に沿った波状に形成したりしても、上記一実施の形態と同様の作用効果を奏することができる。
【００６３】
【発明の効果】
本発明によれば、送風手段によってケース体内へと送風される空気がカバー体により整流子に導かれるため、摺動接点からの粉塵が外部に流出されやすく、整流子の短絡を防止できるとともに、この整流子を効率良く冷却できる。しかも、ケース体と固定子とでカバー体を軸方向に挟持したので、簡単な構成でケース体内にカバー体を固定できる。
【００６４】
また、固定子の軸方向の位置決めをする突部を利用してカバー体の周方向の回動を規制したので、カバー体の回動を簡単な構成で規制できる。
【図面の簡単な説明】
【図１】本発明の電動送風機の一実施の形態の一部を示す分解斜視図である。
【図２】同上電動送風機の一部を示す断面図である。
【図３】同上電動送風機の一部を示す断面図である。
【図４】同上電動送風機のカバー体を示す断面図である。
【図５】同上電動送風機の一部を示す断面図である。
【図６】同上電動送風機のケース体を示す下面図である。
【図７】同上電動送風機のカバー体を示す下面図である
【図８】同上カバー体をケース体に収容させた状態を示す下面図である。
【図９】同上カバー体の脆弱部をケース体の底部に内側に当接させる以前の状態を示す拡大断面図である。
【図１０】同上カバー体の脆弱部をケース体の底部に内側に当接させた状態を示す拡大断面図である。
【符号の説明】
１    電動送風機
３    ケース体としてのモータフレーム
１４    通気口としての吹出口
１５    突部としてのストッパ
２４    固定子としてのステータ
２５    軸体としてのロータ軸
２６    整流子
４３    摺動接点としてのカーボンブラシ
５３    送風手段としての遠心ファン
８４    カバー体としての冷却カバー
９２    脆弱部としての突当凸部
【図１】
2004153892.tif 000003
【図２】
2004153892.tif 000004
【図３】
2004153892.tif 000005
【図４】
2004153892.tif 000006
【図５】
2004153892.tif 000007
【図６】
2004153892.tif 000008
【図７】
2004153892.tif 000009
【図８】
2004153892.tif 000010
【図９】
2004153892.tif 000011
【図１０】
2004153892.tif 000012